(57)【特許請求の範囲】
【請求項１】
横長基部（１７）の両側に脚部（１８）を連設垂下して門型となす２枚の基板（１６）と該基板（１６）間に配した一対の回動アーム（１９）とからなり、該一対の回動アーム（１９）は、夫々一端部に吊杆（２４）を設けた横アーム（２０）の他端部に縦アーム（２１）を連設垂下してその下端部に挟持部（２２）を設け、上記各横アーム（２０）を斜め十字状に交差させて横アーム（２０）、縦アーム（２１）を各々上記基部（１７）、脚部（１８）にほぼ重合させ、挟持部（２２）を脚部（１８）下端より下方に突出させて各縦アーム（２１）の下方で各々脚部（１８）に回動可能に軸着されるとともに、各横アーム（２０）の交差部に設けた横長孔（２０ａ）と基部（１７）のほぼ中央部に設けた縦長孔（１７ａ）にピン（２５）を挿通して横アーム（２０）を基部（１７）に軸着し、且つ上記ピン（２５）をその内腔（２３ｂ）に内嵌せしめて従動子となすカム（２３）を上記縦長孔（１７ａ）の直下で基部（１７）に軸着したカム軸（２３ａ）で軸支し、上記内腔（２３ｂ）に、カム（２３）をカム軸（２３ａ）に連結した操作用把手（２７）の回転で回動可能となす弧状摺動面（２３ｃ）と、該弧状摺動面（２３ｃ）に連設せる上記縦長孔（１７ａ）とほぼ同長の直状摺動面（２３ｄ）とを設け、上記操作用把手（２７）の回転によりピン（２５）の上下摺動を制御して回動アーム（１９）を開閉させることを特徴とするブロック用吊具。
【請求項２】
縦アーム（２１）の下端部又は該下端部に垂下した垂直板（２２ａ）を挟持部（２２）となすとともに、その内方に水平軸（２２ｃ）を中心回転軸としてそれ自体が回転自在となされた圧接板（２２ｄ）及び該圧接板（２２ｄ）面に突出する突起体（２２ｂ）が設けられ、挟持部（２２）間で圧接板（２２ｄ）どうし、突起体（２２ｂ）どうしが相対向してなる請求項１記載のブロック用吊具。
【請求項３】
各脚部（１８）に、その内方に突出又は内方から外方に退去可能となる、水平部（２８ａ）に垂直部（２８ｂ）を連設して鉤形状板片をなす当接部材（２８）をその水平部（２８ａ）端部を軸着して回動可能に設け、吊具の着脱に際し、挟持部（２２）がブロック（３０）を挟持又は開放すべき高さ位置で停止すべく、上記脚部（１８）の内方でその垂直部（２８ｂ）を下向きに保持して突出状態をなす際の当接部材（２８）の垂直部（２８ｂ）の下端曲折部をブロック（３０）との当接部（２８ｅ）となした請求項２記載のブロック用吊具。
【発明の詳細な説明】
【０００１】
【発明の属する技術分野】
本発明は、ブロック用吊具に関するものであり、詳しくは、護岸用ブロック等の各種のブロックの脱型時、運搬時や法面への据え付け時等に使用するブロック用吊具に関するものである。
【０００２】
【従来の技術】
従来、護岸用ブロック等のブロックの脱型時、運搬時や法面への据え付け時等に使用するブロック用吊具は、山形状に交差する上アームの適所に吊杆を設け、該上アームの両下端部から内方に向けて斜め十字状に下アームを交差させ、且つ各々の交差点をピン接合して各アームを回動自在になすとともに、下アームの両下端部に連設した縦アームの下端部にブロックを挟持する挟持部を設けていた。
【０００３】
【発明が解決しようとする課題】
しかしながら、上記従来のブロック用吊具は、吊杆を吊り上げると吊具全体が上下方向に延びて挟持部が左右方向で相互に近づきブロックを挟み込むものであって、吊杆を上下することにより挟持部が連動するものであるから、吊具のみを吊り上げた際には、吊具全体が上下方向に延びきり挟持部が相当接して閉じられてしまうため、不用意に指詰め負傷する等の危険性があり、又、ブロックへの吊具の着脱に際しては、都度人力により挟持部を所望間隔に広げて保持し、ブロックとの接触を避ける手間を要する問題点があった。又、施工の省力化を図った大型のブロック用の場合には吊具自体の大きさや重量も増大するため、その取り扱いやブロックへの着脱作業が更に煩雑になるという問題点もあった。
本発明は、かかる従来の問題点に鑑みてなされたものであって、大型化したブロックにおいてもその脱型時、運搬時や法面への据え付け時等に安全に取り扱えるとともに、容易に着脱、荷吊り作業が行えるブロック用吊具を提供することを課題とする。
【０００４】
【課題を解決するための手段】
上記課題を解決するために、本発明のブロック用吊具は、横長基部１７の両側に脚部１８を連設垂下して門型となす２枚の基板１６と該基板１６間に配した一対の回動アーム１９とからなり、該一対の回動アーム１９は、夫々一端部に吊杆２４を設けた横アーム２０の他端部に縦アーム２１を連設垂下してその下端部に挟持部２２を設け、上記各横アーム２０を斜め十字状に交差させて横アーム２０、縦アーム２１を各々上記基部１７、脚部１８にほぼ重合させ、挟持部２２を脚部１８下端より下方に突出させて各縦アーム２１の下方で各々脚部１８に回動可能に軸着されると共に、各横アーム２０の交差部に設けた横長孔２０ａと基部１７のほぼ中央部に設けた縦長孔１７ａにピン２５を挿通して横アーム２０を基部１７に軸着し、且つ上記ピン２５をその内腔２３ｂに内嵌せしめて従動子となすカム２３を上記縦長孔１７ａの直下で基部１７に軸着したカム軸２３ａで軸支し、上記内腔２３ｂに、カム２３をカム軸２３ａに連結した操作用把手２７の回転で回動可能となす弧状摺動面２３ｃと、該弧状摺動面２３ｃに連設せる上記縦長孔１７ａとほぼ同長の直状摺動面２３ｄとを設け、上記操作用把手２７の回転によりピン２５の上下摺動を制御して回動アーム１９を開閉させることを特徴とする。
【０００５】
かかる本発明のブロック用吊具によれば、上記のように門型状をなす２枚の基板１６間に、その下部に挟持部２２を設けた一対の回動アーム１９を配し、該回動アーム１９の縦アーム２１を基板１６の脚部１８に回動可能に軸着し、各横アーム２０の交差部の横長孔２０ａと基部１７の縦長孔１７ａにピン２５を挿通すると共に、該ピン２５をその内腔２３ｂに内嵌して従動子とするカム２３を基部１７に軸着したカム軸２３ａで軸支し、そのカム軸２３ａに操作用把手２７を連結してカム２３を回動させることにより上記ピン２５の上下摺動を制御できる。
即ち、操作用把手２７の回転によりカム２３を回動させ、該カム２３にある内腔２３ｂの直状摺動面２３ｄを基板１６に貫設せる縦長孔１７ａと合致せしめれば、上記ピン２５を縦長孔１７ａに沿って上下摺動可能として回動アーム１９を左右方向に開閉回動させることができ、また、上記回転によりピン２５が、その直状摺動面２３ｄから脱し弧状摺動面２３ｃ上を摺動するとともに、縦長孔１７ａの下端で弧状摺動面２３ｃの上端縁２３ｃ′と当接して不動化するべくカム２３を回動せしめれば、回動アーム１９を左右方向に開いた状態で固定できるために、操作用把手２７の操作によりカム機構を介してブロック用吊具の挟持部２２を開閉自在となし、ブロックへの着脱及び移動作業を簡素化することができる。
しかも、縦長孔１７ａ及び／又は直状摺動面２３ｄを挟持部２２の開閉すべき寸法に相当する長さに設定してなるために、特に、挟持部２２が左右に開くべき最大寸法を規制して一定間隔を保持せしめられるから、該寸法を、挟持部２２によるブロックを開放するに必要な最小間隔に設定すれば、無駄のない少ない動作でその着脱が行えるとともに、挟持部２２の着脱に要するブロック周囲のフリースペースも少なくてすむ。又、挟持部２２間が上記最大寸法となされている状態で、ピン２５の上動がカム２３の上端縁２３ｃ′により確実に阻止され不動化しているために、必要都度挟持部２２を広げて吊具を保持する等の人為的な補助を要せず、更に挟持部２２が不意に閉じることもないから容易且つ安全に着脱作業が行え、一層簡便な使用が行えて施工の省力化が図れる。
又、一対の回動アーム１９やカム２３機構等の主要な駆動部は、２枚の基板１６間に内蔵されているため、該駆動部で指詰め負傷する等の危険性がなく、より一層安全な使用が行える。
【０００６】
又、本発明のブロック用吊具は、上記ブロック用吊具において、縦アーム２１の下端部又は該下端部に垂下した垂直板２２ａを挟持部２２となすとともに、その内方に水平軸２２ｃを中心回転軸としてそれ自体が回転自在となされた圧接板２２ｄ及び該圧接板２２ｄ面に突出する突起体２２ｂが設けられ、挟持部２２間で圧接板２２ｄどうし、突起体２２ｂどうしが相対向してなる構成を採用することができる。
かかる本発明のブロック用吊具によれば、突起体２２ｂに相応するべくブロック３０に設けられた係止凹部３０ｂに突起体２２ｂを嵌合させて挟持するものとすれば、ブロック３０を挟持するべき位置が明確となり、挟持部２２の押圧力に加えて突起体２２ｂと係止凹部３０ｂとの物理的な凹凸嵌合により一層確実にブロック３０を吊下可能で、ブロック３０の運搬時や据え付け時等必要に応じて、挟持したブロック３０を圧接板２２ｄ（突起体２２ｂ）の水平軸２２ｃを回転軸として回転させて容易に水平や傾斜状等所望の姿勢にでき、その作業性を向上させることができる。
【０００７】
又、本発明のブロック用吊具は、各脚部１８に、その内方に突出又は内方から外方に退去可能となる、水平部２８ａに垂直部２８ｂを連設して鉤形状板片をなす当接部材２８をその水平部２８ａ端部を軸着して回動可能に設け、吊具の着脱に際し、挟持部２２がブロック３０を挟持又は開放すべき高さ位置で停止すべく、上記脚部１８の内方でその垂直部２８ｂを下向きに保持して突出状態をなす際の当接部材２８の垂直部２８ｂの下端曲折部をブロック３０との当接部２８ｅとなした構成を採用することができる。
【０００８】
かかる本発明のブロック用吊具によれば、各脚部１８に鉤形状板片をなす当接部材２８をその垂直部２８ｂを下向きに保持して脚部１８内方に突出して設け、ブロック３０の吊り下げに際して挟持部２２が、ブロック３０を挟持すべき高さ位置で上記当接部材２８の垂直部２８ｂ下端の当接部２８ｅとブロック３０上面との当接により停止するようにしたために、ブロック３０の吊り下げ時に重量物たるブロック用吊具を人力で所定位置に合わせて保持する等の煩雑な手間を要せずにその装着位置が容易に決定でき、作業性を著しく向上させることができる。しかも、当接部材２８を回動可能に軸着して脚部１８内方から外方に退去可能としたために、ブロックの脱型、運搬、法面への据え付け時等必要に応じて当接部材２８を回動して脚部１８内方から退去させることにより、例えば上記内方に突出する当接部材２８との当接によって水平状にして挟持していたブロック３０が上述したように水平軸２２ｃを回転軸として回転可能となり、ブロック３０を傾斜状や上下反転等所望の状態となすことができ、当接部材２８が諸作業の支障とならない。
【０００９】
【発明の実施の形態】
以下、図面を参照しながら本発明の実施の形態について説明する。
図１乃至図６は本発明のブロック用吊具の一実施の形態を示し、本実施の形態のブロック用吊具１は、門型状をなす２枚の基板１６と、これに回動可能に軸着した一対の回動アーム１９と、該回動アーム１９の開閉回動を行うべく上記基板１６に軸着したカム２３とを主要部として構成してなる。
【００１０】
上記基板１６は、例えば図１（イ）に示すように、横長基部１７の両端側に脚部１８を連設垂下した門型状をなし、具体的には、同図（ハ）に示すように上記門型状をなす２枚の基板１６を、その両基板１６間に上記一対の回動アーム１９及びカム２３が収納されるべく所定間隔をおいて相対向して設け、その適宜箇所にスペーサ３２を配し夫々接合して形成する。又、相対向せる基部１７のほぼ中央部には縦長孔１７ａを貫通して設け、両脚部１８の上端部には把手１８ａを外方に向けて突設している。
上記回動アーム１９は、図２（イ）に示す如く、稍傾斜状の横アーム２０の上端をなす一端部に吊杆２４を回動可能に設け、下端をなす他端部に縦アーム２１を連設垂下してその下端部に挟持部２２を設けてなり、該横アーム２０及び縦アーム２１はそれぞれ上記基板１６の基部１７、脚部１８にほぼ対応する長さを有し、横アーム２０のほぼ中央部には横長孔２０ａを穿設してなる。
【００１１】
本実施形態のブロック用吊具１は、図１（イ）及び図３に示す如く、上記門型状の２枚の基板１６内に、上記一対の回動アーム１９をその横アーム２０が斜め十字状に交差し夫々左右対称状を呈して横アーム２０、縦アーム２１が各々基板１６の基部１７、脚部１８にほぼ重合する如く配される。又、横アーム２０の両吊杆２４部を基部１７の上方で左右方向に突出させ、挟持部２２を脚部１８下端より下方に突出させるとともに、各縦アーム２１の下端部を各々脚部１８の下端部にピン２６により回動可能に軸着し、各横アーム２０の交差部で連通する各横長孔２０ａと基部１７の縦長孔１７ａにピン２５を挿通して横アーム２０を基部１７に軸着し、且つ上記ピン２５をその内腔２３ｂに内嵌せしめて従動子となすカム２３を上記縦長孔１７ａの直下でカム軸２３ａにより軸着してなる。
【００１２】
上記カム２３は、例えば図２（ロ）に示すような板状の正面カムをなし、その内腔２３ｂに上記縦長孔１７ａとほぼ同長の直状摺動面２３ｄと、その軸孔側で該直状摺動面２３ｄに連設せる弧状摺動面２３ｃとこれの上端縁２３ｃ′を有してなる。而して、図１（ハ）に示す如く、上記基板１６内で一対の回動アーム１９の横アーム２０を両側から挟むようにカム２３を一対設けて基部１７に軸着したピン２５で軸支し、該カム２３の回動によって従動子をなすピン２５を上記縦長孔１７ａに沿って摺動可能としている。すなわち、ピン２５を上記縦長孔１７ａに沿って上下摺動させることで連動する横アーム２０の上下動が脚部１８にピン２６により軸支されてなる縦アーム２１を回動させて回動アーム１９を左右に開閉させるものである。
【００１３】
又、図４（イ）乃至（ハ）に示す如く、上記基板１６の縦長孔１７ａとカム２３の直状摺動面２３ｄを挟持部２２の開閉すべき寸法に相当する長さに形成し、また、上記カム２３の弧状摺動面２３ｃを基板１６外側に裸出せるカム軸２３ａの端面に連結した棒状の操作用把手２７の回転角度βで回動可能に形成してカム２３の回動操作を可能としている。例えば操作用把手２７を図３及び図４（イ）に示すように下方へ向けた状態にあっては、ピン２５が縦長孔１７ａの下端においてカム２３の弧状摺動面２３ｃの上端縁２３ｃ′により拘束され、挟持部２２間を左右に広げた状態で回動アーム１９相互を不動化してなるため、横アーム２０の各吊杆２４を吊り上げても挟持部２２が固定化されて閉じない。
次に、上記の状態から操作用把手２７を図４（ロ）に示すように横向きの状態に回動操作すると、これに同調するカム２３の回動に伴って、その直状摺動面２３ｄが縦長孔１７ａと合致して双方貫通することで、ピン２５の上部に長孔状の空間が現出してその拘束が解除される。而して、横アーム２０の各吊杆２４を吊り上げれば、図４（ハ）及び図８に示す如く、ピン２５が上記空間を上方に摺動する分、回動アーム１９が夫々内方に回動して挟持部２２間を左右方向で閉じた状態となす。
【００１４】
上記回動アーム１９の縦アーム２１下端部に設けた挟持部２２は、図５に示す如く、縦アーム２１の下端部内側から延設垂下された垂直板２２ａの内方に、ほぼ円錐台状の頭部を有する突起体２２ｂがその水平軸２２ｃを回転軸として回転自在に設けられてなる。上記水平軸２２ｃは、垂直板２２ａに近接して該水平軸２２ｃとともに回転する円形板状の圧接板２２ｄを外嵌し、垂直板２２ａに挿通した端部に取付板２２ｅを固定して垂直板２２ａに取付けられ、上記圧接板２２ｄが挟持するブロック３０の側壁３０ａに当接するようになされる。
【００１５】
又、上記基板１６の各脚部１８には、その下側で回動アーム１９をなす縦アーム２１の軸着部（ピン２６）より上方位置に当接部材２８を回動可能に軸着し、該当接部材２８を脚部１８の内方に突出、又は外方に退去可能としている。
具体的には、上記当接部材２８は、図６（イ）及び（ロ）に示す如く、水平部２８ａの一端部に垂直部２８ｂを連設した鉤形状板片の垂直部２８ｂ先端を曲折せしめて当接部２８ｅとなし、水平部２８ａを脚部１８と交差させてその他端部をピン２８ｃにより脚部１８に軸着するとともに、垂直部２８ｂの当接部２８ｅを脚部１８の内方で下方に突出させて下向きとなし、且つ上記ピン２８ｃを回動軸として上方向に１８０度回動させ、図６（ハ）及び（ニ）に示す如く、当接部２８ｅを上向けて脚部１８の内方から外方に退去可能となす。又、脚部１８には上記水平部２８ａを水平状に支持するための突起１８ｂが突設されている。
尚、上記当接部材２８は、本実施形態では、例えば図１に示すように、一方の脚部１８（図１（イ）において右側脚部１８）には正面側に、他方の脚部１８（図１（イ）において左側脚部１８）には背面側にそれぞれ軸着している。
【００１６】
上記当接部材２８を脚部１８の内方側に突出した状態で保持して仮固定するために、その水平部２８ａ外側面に突設した板片２８ｄに、把手付係止体２９をピン２９ａにより上記当接部材２８の回動方向と直交して回動可能に軸着し、水平部２８ａが突起１８ｂに支持されて水平状をなす際に、係止体２９の回動操作によりその係入部２９ｂを上記突起１８ｂに係脱可能としている。
又、図１に示すように、上記当接部材２８を脚部１８の内方側に突出した状態、即ち、図６（イ）及び（ロ）に示すように、垂直部２８ｂの当接部２８ｅを脚部１８の内方に突出させて下向きとなした状態で、当接部２８ｅと上記挟持部２２の突起体２２ｂとの間隔を所定の寸法となし、後述する図７に示すようにブロック３０の吊り下げに際して、垂直部２８ｂの当接部２８ｅとブロック３０上面との当接により突起体２２ｂがブロック３０を挟持すべき高さ位置で停止するようにしている。即ち、上記当接部２８ｅと上記突起体２２ｂとの間隔は、ブロック３０の厚みとその側壁３０ａに設けられる係止凹部３０ｂの位置によって所定寸法に設定される。
【００１７】
次に、上記ブロック用吊具１を用いてブロック３０を吊下する方法を図１乃至図１０を参照しながら説明する。
まず、ブロック用吊具１を回動アーム１９の各吊杆２４にロープ等の吊部材３１を係止して基板１６の基部１７をほぼ水平状にしてバランスよく吊持するとともに、図１に示す如く、操作用把手２７を下方に向けた位置に回動させて挟持部２２を左右に開いておく。即ち、操作用把手２７の回動によって、図４（イ）に示すように、カム２３を回動させて回動アーム１９の交差部にあるピン２５を基板１６の縦長孔１７ａの下端に位置させるとともに、カム２３の内腔２３ｂにある上端縁２３ｃ′で固定するので、回動アーム１９のピン２６を回転軸とした回動を阻止して、各挟持部２２を左右に開いた開状態で固定化する。また、図１、図６（イ）及び（ロ）に示すように、当接部材２８を回動して脚部１８内方に突出させ、係止体２９を回動してその係入部２９ｂを脚部１８の突起１８ｂに係止して当接部材２８を固定しておく。
【００１８】
次いで、図７に示す如く、上記の開状態で吊持したブロック用吊具１を上方から挟持すべきブロック３０に降下させると共に、挟持部２２の突起体２２ｂがブロック３０の側壁３０ａにある係止凹部３０ｂに接近するべく誘導し、当接部材２８の当接部２８ｅがブロック３０上面に当接した時点でブロック用吊具１の降下を停止して吊持力を解除する。続いて操作用把手２７を上方に向け回動し、横向きの状態となしてピン２５の固定を解除する。
即ち、操作用把手２７の回動によって、図４（ロ）に示すように、カム２３を回動させてその内腔２３ｂにある直状摺動面２３ｄと基板１６の縦長孔１７ａとを合致せしめて双方を貫通させることで、ピン２５の上部に重合せる長孔状の空間が形成されて、ピン２５が上動可能な状態となる。
【００１９】
次いで、ロープ等を巻き上げる等の適宜手段により吊杆２４を夫々吊り上げると、図４（ハ）に示すように、ピン２５が上記空間を上方に摺動して移動する分、回動アーム１９がピン２６を回転軸として夫々内方に回動する。而して、該回動アーム１９の回動に連動して挟持部２２が閉じ閉状態となると同時に、図５（ロ）に示す如く、突起体２２ｂが上記係止凹部３０ｂに嵌合して圧接板２２ｄがブロック３０の側壁３０ａに当接される。
【００２０】
更に、ブロック用吊具１を吊り上げると、図８に示す如く、ブロック３０の自重たる鉛直力を梃子作用によってブロック用吊具１の締付け力として変換することで安定した挟持状態でブロック３０を吊下することができる。
また、脱型、運搬、法面への据え付け時等必要に応じて、当接部材２８を脚部１８内方から退去させるべく係止体２９を回動して係入部２９ｂによる係止を外し、図６（ハ）及び（ニ）に示すように、当接部材２８を脚部１８の外方に１８０度回動することにより、上記当接部材２８との当接により水平状にして挟持していたブロック３０が突起体２２ｂの中心を軸として回転可能となり、例えば図９に示す傾斜状等所望の姿勢にすることができ、作業や施工等多岐にわたって使用できる。尚、ここでは図８に示す挟持したブロック３０を突起体２２ｂの中心を軸として上下反転させて、図１０に示す次工程に作業を進める。
【００２１】
又、運搬作業や据え付け作業等が終了し、ブロック用吊具１を開放する際は、図１０に示す如く、吊杆２４への吊持力を解除して操作用把手２７を下方に向け回動させて元の位置に戻し、挟持部２２を左右に開く。即ち、操作用把手２７の回動により、図４（ロ）から（イ）に示す如く、カム２３を回動させてピン２５を縦長孔１７ａの下端で固定状態となし、これに伴って回動した回動アーム１９及び挟持部２２を左右に開いた開状態で固定化して、圧接板２２ｄによる当接及び突起体２２ｂと係止凹部３０ｂの嵌合を開放する。該挟持部２２の開閉は、図１０に示すように、ブロック３０の据え付け時に互いに隣接するブロック３０間の狭い隙間内で行えるよう、挟持部２２が左右に開くべき寸法を、その挟持を開放するに必要な最小寸法に、基板１６の縦長孔１７ａとカム２３の直状摺動面２３ｄの穿孔長さで設定している。
【００２２】
上記開放作業後、次いで、ロープを巻き上げる等の適宜手段によりブロック用吊具１を吊り上げても、上記図４（イ）の状態で詳述した如く、回動アーム１９が開状態のまま固定化されているため、挟持部２２間の間隔がそれ以上縮まらず、一定間隔を保持し続ける。従って、開放都度挟持部２２間を広げるべく、縦アーム２１を保持する等の人為的な補助や必要以上の力を要せずにブロック用吊具１の移動が行えるとともに、挟持部２２が不意に閉じることもなく、又、回動アーム１９やカム２３機構等、主要な駆動部が２枚の基板１６間に内蔵され、該駆動部で指詰め負傷する等の危険性もなく一層安全な使用が行える。
【００２３】
尚、上記実施の形態においては、挟持部２２は、縦アーム２１の下端部に垂下した垂直板２２ａと自転する円形の圧接板２２ｄ及び突起体２２ｂとからなるが、例えて図１２に示す如く、縦アーム２１の下端を内方に曲折せしめ、回動自在な横長い圧接板２２ｄに横細長い突起体２２ｂを突設して形成してもよい他、圧接板２２ｄ又は突起体２２ｂを縦アーム２１の下端部に直接設けてもよいし、該圧接板２２ｄ、突起体２２ｂを他形状としてもよいし、或いは縦アーム２１の下端部に挟持用の水平状や傾斜状の棒状体等を固定してもよく、その構造、形状は上記実施の形態のものに限定されることなく、ブロック３０の側壁３０ａ等を挟持できればよい。
従って、吊下するブロック３０もその側壁３０ａに必ずしも突起体２２ｂに適合する係止凹部３０ｂを有している必要はないが、挟持部２２を係止しうる凹部や凹溝等が設けられていると、ブロック３０を挟持する位置がより明確となり、且つ挟持部２２の押圧力に加えて双方の凹凸係止により一層確実にブロック３０を吊下でき好ましい。
【００２４】
又、回動アーム１９の縦アーム２１や当接部材２８の軸着位置は、基板１６の脚部１８の適宜位置であればよいし、又、当接部材２８についても脚部１８の内外方に回動可能に取付けられればよく、上記実施の形態に限定されるものではない。尚、上記当接部材２８は、必ずしも必要ではないが、具備していると上述したように作業性が著しく向上し好ましい。
又、上記カム２３の形状及びそのカム機構、その他各部材の形状、構造は上記各実施の形態のものに限定されることなく、本発明の意図する範囲内で適宜設計変更可能である。
尚又、本発明のブロック用吊具１によって吊下するブロック３０は、例えて図１１に示すような各隅切部にそれぞれ吊杆状鉄筋を突出した隅切方形板状の護岸用ブロックとしたが、これに限定されることなく、挟持部２２により挟持しうるブロックであればよく、各種の形状、寸法の護岸用ブロック或いは他用途のブロックであってもよいことは勿論である。
【００２５】
【発明の効果】
以上詳述した如く、本発明のブロック用吊具は、門型状をなす２枚の基板間に、その下部に挟持部を設けた一対の回動アームを配し、該回動アームの縦アームを基板の脚部に回動可能に軸着し、各横アームの交差部の横長孔と基部の縦長孔にピンを挿通するとともに、該ピンをその内腔に内嵌して従動子とするカムを基部に軸着したカム軸で軸支し、そのカム軸に操作用把手を連結してカムを回動させることにより上記ピンの上下摺動を制御できるために、上記操作用把手の回転によりカムを回動させ、該カムにある内腔の直状摺動面を基板に貫設せる縦長孔と合致せしめれば、上記ピンを縦長孔に沿って上下摺動可能として回動アームを左右方向に開閉回動させることができ、また、上記回転によりピンが、その直状摺動面から脱し弧状摺動面上を摺動するとともに、縦長孔の下端で弧状摺動面の上端縁と当接して不動化するべくカムを回動せしめれば、回動アームを左右方向に開いた状態で固定できる。即ち、操作用把手の操作によりカム機構を介してブロック用吊具の挟持部を開閉自在となし、ブロックへの着脱及び移動作業を簡素化することができる。
しかも、上記縦長孔及び／又は直状摺動面を挟持部の開閉すべき寸法に相当する長さに穿孔してなるために、特に、挟持部が左右に開くべき最大寸法を規制して一定間隔を保持せしめられ、該寸法が挟持部によるブロックを開放するに必要な最小間隔に設定されれば、無駄のない少ない動作でその着脱が行えると共に、挟持部の着脱に要するブロック周囲のフリースペースも少なくてすむ。又、挟持部間が上記最大寸法となされている状態で、ピンの上動がカムの上端縁により確実に阻止され不動化しているので、必要都度挟持部を広げて吊具を保持する等の人為的な補助を要せず、更に挟持部が不意に閉じることもないから容易且つ安全に着脱作業が行え、一層簡便な使用が行えて施工の省力化が図れる。
更に、一対の回動アームやカム機構等の主要な駆動部は、２枚の基板間に内蔵されているため、該駆動部で指詰め負傷する等の危険性がなく、より一層安全な使用が行える。
【００２６】
又、本発明のブロック用吊具は、挟持部の内方に水平軸を中心回転軸としてそれ自体が回転自在となされた圧接板及び該圧接板面に突出する突起体が設けられ、挟持部間で圧接板どうし、突起体どうしが相対向してなるために、ブロックの係止凹部に突起体を嵌合させて挟持すれば、ブロックの挟持位置が明確となり、挟持部の押圧力に加えて突起体と係止凹部との凹凸嵌合により一層確実にブロックを吊下可能で、その安全性が高められ、ブロックの運搬時や据え付け時等必要に応じて、挟持したブロックを圧接板（突起体）の水平軸を回転軸として回転させて容易に水平や傾斜状等所望の姿勢にでき、その作業性を向上させることができる。
【００２７】
また、本発明のブロック用吊具は、各脚部に鉤形状板片をなす当接部材をその垂直部を下向きに保持して脚部内方に突出して設け、ブロックの吊り下げに際して、挟持部がブロックを挟持すべき高さ位置で上記当接部材の垂直部下端の当接部とブロック上面との当接により停止するようにしたために、ブロックの吊り下げ時に重量物たるブロック用吊具を人力で所定位置に合わせて保持する等の煩雑な手間を要せずに、その装着位置が容易に決定でき、作業性を著しく向上させることができる。しかも、当接部材を回動可能に軸着して脚部内方から外方に退去可能としたために、ブロックの脱型、運搬、法面への据え付け時等必要に応じて当接部材を回動して脚部内方から退去させることにより、例えば上記内方に突出する当接部材との当接によって水平状にして挟持していたブロックが上述したように水平軸を回転軸として回転可能となり、ブロックを傾斜状や上下反転等所望の状態となすことができ、当接部材が諸作業の支障とならない。
【図面の簡単な説明】
【図１】  本発明のブロック用吊具の一実施形態を示し、（イ）は正面図、（ロ）は左側面図、（ハ）は（イ）のＢ−Ｂ一部省略拡大端面図。
【図２】  （イ）は上記ブロック用吊具を構成する１対の回動アームを示す分解正面図、（ロ）は同カムを示す正面図。
【図３】  上記ブロック用吊具の一部省略正面図。
【図４】  上記ブロック用吊具のカム機構を示し、（イ）及び（ロ）は挟持部を開いた時の一部省略拡大正面図、（ハ）は挟持部を閉じた時の一部省略拡大正面図。
【図５】  上記ブロック用吊具の挟持部の要部を示し、（イ）は拡大側面図、（ロ）は（イ）のＣ−Ｃ断面図。
【図６】  上記ブロック用吊具の当接部材を示し、（イ）は使用時の正面図、（ロ）は同左側面図、（ハ）は退去時の正面図、（ニ）は同左側面図。
【図７】  上記ブロック用吊具の使用状態を示す一部省略正面図。
【図８】  上記ブロック用吊具の使用状態を示す一部省略正面図。
【図９】  上記ブロック用吊具の使用状態を示す側面図。
【図１０】  上記ブロック用吊具の使用状態を示す一部省略正面図。
【図１１】  本発明のブロック用吊具によって吊下するブロックの一例を示し、（イ）は平面図、（ロ）は正面図。
【図１２】  ブロック用吊具の他の挟持部の要部を示し、（イ）は拡大側面図、（ロ）は（イ）のＤ−Ｄ断面図。
【符号の説明】
１  ブロック用吊具
２１  縦アーム
２４  吊杆
２５，２６  ピン
２２  挟持部
２２ｂ  突起体
２３  カム
２３ａ  カム軸
２７  操作用把手
１６  基板
１７  基部
１７ａ  縦長孔
１８  脚部
１９  回動アーム
２０  横アーム
２０ａ  横長孔
２３ｂ  内腔
２３ｃ  弧状摺動面
２３ｃ′  上端縁
２３ｄ  直状摺動面
２８  当接部材
２８ｅ  当接部
３０  ブロック
【図１】
0003718774.tif 000002
【図２】
0003718774.tif 000003
【図３】
0003718774.tif 000004
【図４】
0003718774.tif 000005
【図５】
0003718774.tif 000006
【図６】
0003718774.tif 000007
【図７】
0003718774.tif 000008
【図８】
0003718774.tif 000009
【図９】
0003718774.tif 000010
【図１０】
0003718774.tif 000011
【図１１】
0003718774.tif 000012
【図１２】
0003718774.tif 000013